(57)【要約】【課題】コイル端子を治具で押圧して曲げ起こすときに、引き出し線の破断を防止できるコイル端子、および、このコイル端子を備える電磁継電器を提供する。【解決手段】コイル端子が、突起（３５）および突条（３６）を有する巻回片（３３）を備えている。このコイル端子では、突起（３５）および突条（３６）が、巻回片（３３）の延在方向に沿って所定の間隔を隔てて配置されている。そして、コイルユニットの引き出し線（２１）を突起（３５）から突条（３６）の間に巻回することなく引き渡している。【選択図】図５
2015176757.tif 000002
【特許請求の範囲】
【請求項１】
コイルの引き出し線を巻回して半田付けすると共に、曲げ起こされる巻回片を備えたコイル端子であって、
前記巻回片の延在方向に沿って一対の引っかけ部を所定の間隔を隔てて配置すると共に、前記引き出し線を一方の前記引っかけ部から他方の引っかけ部の間に巻回することなく引き渡したことを特徴とするコイル端子。
【請求項２】
一対の前記引っかけ部のうち、先端部側に位置する前記引っかけ部からさらに先端部側に絡げた引き出し線を半田付けしたことを特徴とする、請求項１に記載のコイル端子。
【請求項３】
一対の前記引っかけ部が、共に凸形状であることを特徴とする、請求項１または２に記載のコイル端子。
【請求項４】
一対の前記引っかけ部のうち、一方の前記引っかけ部が凸形状であり、他方の前記引っかけ部が凹形状であることを特徴とする、請求項１または２に記載のコイル端子。
【請求項５】
一対の前記引っかけ部が、共に凹形状であることを特徴とする、請求項１または２に記載のコイル端子。
【請求項６】
一対の前記引っかけ部が、前記巻回片の軸心を中心としてねじれた位置に配置されていることを特徴とする、請求項１から５のいずれか１項に記載のコイル端子。
【請求項７】
一対の前記引っかけ部が、前記巻回片の軸心を中心として対向する位置に配置されていることを特徴とする、請求項１から５のいずれか１項に記載のコイル端子。
【請求項８】
請求項１から７のいずれか１項に記載のコイル端子を備える電磁継電器。
【発明の詳細な説明】
【技術分野】
【０００１】
本発明は、コイル端子、および、このコイル端子を備える電磁継電器に関する。
【背景技術】
【０００２】
従来の電磁継電器としては、例えば、特開２０００−２６０２８４号公報（特許文献１）に記載されたものがある。この電磁継電器では、スプール２と、このスプール２に巻回されたコイル２ｃと、このコイル２ｃの引き出し線が巻回され、絡げられたコイル端子１２，１３とを備えている。
【０００３】
そして、前記従来の電磁継電器では、コイル２ｃの引き出し線が絡げられ、半田付けされ後に、コイル端子１２，１３のコイル接続端部３２ａ，３３ａを曲げ起こしている。このコイル端子１２，１３の曲げ起こしは、一般に、治具で半田部分のみを押圧して、引き出し線を破断しないように行われる。
【先行技術文献】
【特許文献】
【０００４】
【特許文献１】特開２０００−２６０２８４号公報
【発明の概要】
【発明が解決しようとする課題】
【０００５】
しかしながら、近年、電磁継電器の小型化が進むにつれて、治具で端子の半田付けした領域のみを押圧することが困難になっており、コイル端子１２，１３を曲げ起こすときに、コイルの引き出し線を押圧して破断させてしまう可能性が増してきている。
【０００６】
そこで、本発明は、コイル端子を治具で押圧して曲げ起こすときに、引き出し線の破断を防止できるコイル端子、および、このコイル端子を備える電磁継電器を提供することを課題とする。
【課題を解決するための手段】
【０００７】
本発明に係るコイル端子は、前記課題を解決すべく、コイルの引き出し線を巻回して半田付けすると共に、曲げ起こされる巻回片を備えたコイル端子であって、前記巻回片の延在方向に沿って一対の引っかけ部を所定の間隔を隔てて配置すると共に、前記引き出し線を一方の前記引っかけ部から他方の引っかけ部の間に巻回することなく引き渡したことを特徴としている。
【発明の効果】
【０００８】
本発明のコイル端子によれば、引き出し線を巻回片に巻回するとき、一対の引っかけ部の間では、引き出し線が、巻回することなく引き渡される。このため、一対の引っかけ部の間に治具を押し当てても、引き出し線を押圧することなく巻回片を押し曲げることができる。よって、コイル端子の巻回片を治具で押圧して曲げ起こすときに、引き出し線の破断を防止できる。
【０００９】
本発明の一実施形態としては、一対の前記引っかけ部のうち、先端部側に位置する前記引っかけ部からさらに先端部に絡げた引き出し線を半田付けした構成としてもよい。
【００１０】
この実施形態によれば、一対の引っかけ部のうち、先端部側に位置する引っかけ部からさらに先端部に絡げた引き出し線を半田付けしているので、引き出し線を押圧することなく巻回片を押し曲げることができる領域を形成できる。このため、小型のコイル端子であっても、引き出し線を押圧することなく巻回片を治具で押し曲げることができる。
【００１１】
本発明の一実施形態としては、一対の前記引っかけ部が、共に凸形状である構成としてもよい。
【００１２】
この実施形態によれば、設計の自由度が大きいコイル端子が得られる。
【００１３】
本発明の一実施形態としては、一対の前記引っかけ部のうち、一方の前記引っかけ部が凸形状であり、他方の前記引っかけ部が凹形状である構成としてもよい。
【００１４】
この実施形態によれば、設計の自由度が大きいコイル端子が得られる。
【００１５】
本発明の一実施形態によれば、一対の前記引っかけ部が、共に凹形状である構成としてもよい。
【００１６】
この実施形態によれば、設計の自由度が大きいコイル端子が得られる。
【００１７】
本発明の一実施形態によれば、一対の前記引っかけ部が、前記巻回片の軸心を中心としてねじれた位置に配置されている構成としてもよい。
【００１８】
この実施形態によれば、設計の自由度が大きいコイル端子が得られる。
【００１９】
本発明の一実施形態によれば、一対の前記引っかけ部が、前記巻回片の軸心を中心として対向する位置に配置されている構成としてもよい。
【００２０】
この実施形態によれば、設計の自由度が大きいコイル端子が得られる。
【００２１】
本発明に係る電磁継電器は、前記コイル端子を備えることを特徴としている。
【００２２】
本発明の電磁継電器によれば、巻回片を治具で押圧して曲げ起こすときに、引き出し線の破断を防止できるコイル端子を備えた電磁継電器が得られる。
【図面の簡単な説明】
【００２３】
【図１】本発明の第１実施形態のコイル端子を組み付けたコイルユニットを示す上面図であり、コイル端子を曲げ起こす前の状態を示している。
【図２】図１のコイルユニットのII−II線から見た断面図である。
【図３】図１のコイルユニットの側面図であり、コイル端子を曲げ起こした後の状態を示している。
【図４】図１の電磁継電器に組み付けられているコイル端子を示す斜視図である。
【図５】図４のコイル端子を治具で押圧する状態を説明するための模式図である。
【図６】図４のコイル端子を治具で押圧する状態を説明するための他の模式図である。
【図７】本発明の第２実施形態のコイル端子を示す模式図である。
【図８】本発明の第３実施形態のコイル端子を示す模式図である。
【図９】本発明の第４実施形態のコイル端子を示す模式図である。
【図１０】本発明の第５実施形態のコイル端子を示す模式図である。
【図１１】本発明の第６実施形態のコイル端子を示す模式図である。
【図１２】本発明の第７実施形態のコイル端子を示す模式図である。
【図１３】本発明の第８実施形態のコイル端子を示す模式図である。
【図１４】本発明の第９実施形態のコイル端子を示す模式図である。
【発明を実施するための形態】
【００２４】
以下、本発明に係るコイル端子の実施形態が組み込まれたコイルユニットを図１ないし図１４の添付図に従って説明する。
【００２５】
（第１実施形態）
第１実施形態のコイル端子が組み込まれたコイルユニットは、図１〜図３に示すように、両端に鍔部１０ａを有するスプール１０と、このスプール１０の胴部に巻回されたコイル２０とで構成されている。そして、このスプール１０の一方の鍔部１０ａには、対向する一対のコイル端子３０，３０が組み付けられている。
【００２６】
スプール１０は、図２に示すように、略中央に貫通孔１１を有し、スプール１０の一方の鍔部１０ａには、コイル端子３０，３０を圧入するための圧入溝１３，１３が設けられている。
【００２７】
スプール１０に巻回されたコイル２０は、図２に示すように、その引き出し線２１，２１が、コイル端子３０，３０にそれぞれ巻回され、絡げられている。なお、図１，図３では、説明の便宜上、コイル端子３０，３０に巻回された引き出し線２１を省略している。
【００２８】
コイル端子３０は、図４に示すように、本体部３１と、端子部３２と、巻回片３３とで構成されている。
【００２９】
本体部３１は、略Ｌ字形状で、上端に圧入用突起３４を有している。この圧入用突起３４は、コイル端子３０をスプール１０の圧入溝１３に圧入したときに、コイル端子３０を抜け止めできるように設けられている。
【００３０】
端子部３２は、断面方形の直線状で、本体部３１から下方に突出している。この端子部３２は、前記コイルユニットを電磁継電器に組み付けるときに、この電磁継電器に設けられている図示しない端子溝に圧入される。
【００３１】
巻回片３３は、断面方形で、本体部３１から側方に突出しており、クランク状に屈曲した基部３３ａと、この基部３３ａに連なる直線部３３ｂとで構成されている。基部３３ａには、本体部３１との連結部分に、巻回片３３を曲げ起こすための幅狭部３７が設けられている。また、直線部３３ｂの上下面には、突部３５と突条３６とがそれぞれ設けられ、巻回片３３の延在方向に沿って所定の間隔を隔てて配置されている。この突部３５と突条３６とで、一対の引っかけ部を構成している。つまり、一対の引っかけ部は、巻回片３３の軸心を中心として対向する位置に配置されている。
【００３２】
次に、前記コイルユニットの組立手順について説明する。
【００３３】
スプール１０の圧入溝１３，１３に一対のコイル端子３０，３０を対向するようにそれぞれ圧入し、スプール１０に巻回したコイル２０の引き出し線２１，２１をコイル端子３０の巻回片３３にそれぞれ巻回する。
【００３４】
このとき、図５に示すように、まず、引き出し線２１を、巻回片３３の突部３５の基部３３ａ側の領域に巻回する。次いで、引き出し線２１を、突部３５の基部３３ａ側の側面３５ａと突条３６の先端部側（基部３３ａから遠い側）の側面３６ａとに引っかけて引き渡し、最後に、巻回片３３の突条３６の先端部側の領域に巻回して、絡げる。
【００３５】
そして、巻回片３３の突条３６よりもさらに先端部側に引き出し線２１を絡げた後、巻回片３３の先端部に絡げた引き出し線２１を半田付けし、突条３６の先端部側の側面３６ａから巻回片３３の先端部までの領域を半田４０で覆う。
【００３６】
続いて、治具５０を用いて、巻回片３３を、図１の実線で示されている位置から破線で示されている位置（図３に示す位置）まで曲げ起こす。
【００３７】
このとき、図５に示すように、巻回片３３は、突部３５および突条３６の間の領域と半田４０で覆われた先端部の領域とが治具５０により押圧され、曲げ起こされる。
【００３８】
このように、引き出し線２１を巻回片３３に巻回するとき、一対の引っかけ部である突部３５および突条３６の間では、引き出し線２１を巻回することなく引き渡される。このため、突部３５および突条３６の間に治具５０を押し当てても、引き出し線２１を押圧することなく巻回片３３を押し曲げることができる。よって、コイル端子３０の巻回片３３を治具５０で曲げ起こすときに、引き出し線２１の破断を防止できる。
【００３９】
また、一対の引っかけ部のうち、外側（先端部側）に位置する引っかけ部である突条３６から巻回片３３の先端部に絡げた引き出し線２１を半田付けしているので、引き出し線２１を押圧することなく巻回片３３を押し曲げることができる領域を形成できる。このため、小型のコイル端子３０であっても、引き出し線２１を押圧することなく巻回片３３を治具で押し曲げることができる。
【００４０】
なお、図６に示すように、巻回片３３の引き出し線２１が引き渡されていない面を治具５０で押圧するようにすることで、引き出し線２１の破断を確実に防止できる。
【００４１】
（第２〜第９実施形態）
前記第１実施形態のコイル端子３０では、一対の引っかけ部を突部３５および突条３６で構成しているが、これに限らない。例えば、図７に示すように、巻回片１０３の直線部１０３ｂの対向面に凹部１０５および突条１０６を設けて、一対の引っかけ部を構成するようにしてもよい（第２実施形態）。また、図８に示すように、巻回片１１３の直線部１１３ｂの対向面に突部１１５および凹部１１６を設けて、一対の引っかけ部を構成するようにしてもよい（第３実施形態）。そして、図９に示すように、巻回片１２３の直線部１２３ｂの対向面に凹部１２５，１２６を設けて、一対の引っかけ部を構成するようにしてもよい（第４実施形態）。つまり、一対の引っかけ部は、共に凸形状または凹形状であってもよいし、一方が凸形状で他方が凹形状であってもよい。
【００４２】
また、前記第１実施形態のコイル端子３０では、一対の引っかけ部である突部３５および突条３６が、巻回片３３の軸心を中心として対向する位置（直線部３３ｂの互いに対向する上下面）に配置されているが、これに限らない。例えば、図１０に示すように、巻回片１３３の直線部１３３ｂの隣接する面に、延在方向が相互に直交するように突部１３５，１３６を設けて、一対の引っかけ部を構成するようにしてもよい（第５実施形態）。さらに、図１１に示すように、巻回片１４３の直線部１４３ｂの隣接する面に凹部１４５および突部１４６を設けて、一対の引っかけ部を構成するようにしてもよい（第６実施形態）。そして、図１２に示すように、巻回片１５３の直線部１５３ｂの隣接する面に凹部１５５，１５６を設けて、一対の引っかけ部を構成するようにしてもよい（第７実施形態）。つまり、巻回片の軸心を中心としてねじれた位置に配置されるように一対の引っかけ部を構成してもよい。
【００４３】
また、図１３に示すように、断面円形状の巻回片１６３の直線部１６３ｂに、断面略三角形状の突部１６５，１６６を同一方向に延在するように設けて、一対の引っかけ部を構成するようにしてもよい（第８実施形態）。さらに、図１４に示すように、断面円形状の巻回片１７３の直線部１７３ｂに、断面略三角形状の突部１７５，１７６を相互に直交する方向に延在するように設けて、一対の引っかけ部を構成するようにしてもよい（第９実施形態）。
【００４４】
このように、一対の引っかけ部は、引き出し線２１を引っかけて引き渡すことができれば、任意の形状を採用でき、また、任意の位置に配置できる。
【００４５】
また、一対の引っかけ部の間の間隔は、コイル端子、あるいは、コイル端子を適用する電磁継電器の設計等に応じて、任意に設定できる。つまり、巻回片に、引き出し線を押圧することなく治具で曲げ起こすことができる領域を確保できればよい。
【００４６】
本発明のコイル端子は、前述の一対の引っかけ部が設けられた巻回片を有していればよく、コイル端子、あるいは、このコイル端子を用いる電磁継電器の設計等に応じて、任意の形態にできる。
【００４７】
前記第１〜第９実施形態のコイル端子は、外部素子との導通を得るための端子に限定されず、例えば中継端子のように、コイル端子を用いる機器内部の他の部品等との導通を得るための端子であってもよい。
【００４８】
前記第１〜第９実施形態のコイル端子の各々の構成要素は、可能ならば、お互いに入れ換え、あるいは追加してもよいことは勿論である。
【００４９】
前記第１〜第９実施形態のコイル端子は、任意の電磁継電器に適用できる。
【産業上の利用可能性】
【００５０】
本発明のコイル端子は、前述のコイルユニットに限らず、他の形態のコイルユニットに適用できるだけでなく、任意の電磁継電器に用いることができる。
【符号の説明】
【００５１】
１０  スプール
１０ａ  鍔部
１１  貫通孔
２０  コイル
２１  引き出し線
３０  コイル端子
３１  本体部
３２  端子部
３３，１０３，１１３，１２３，１３３，
１４３，１５３，１６３，１７３，  巻回片
３３ａ  基部
３３ｂ，１０３ｂ，１１３ｂ，１２３ｂ，１３３ｂ，
１４３ｂ，１５３ｂ，１６３ｂ，１７３ｂ，  直線部
３４  圧入用突起
３５，１１５，１３５，１３６，１４６，１６５，
１６６，１７５，１７６  突部
３５ａ  側面
３６，１０６  突条
３６ａ  側面
３７  幅狭部
４０  半田
５０  治具
１０５，１１６，１２５，１２６，１４５，１５５，１５６  凹部
【図１】
2015176757.tif 000003
【図２】
2015176757.tif 000004
【図３】
2015176757.tif 000005
【図４】
2015176757.tif 000006
【図５】
2015176757.tif 000007
【図６】
2015176757.tif 000008
【図７】
2015176757.tif 000009
【図８】
2015176757.tif 000010
【図９】
2015176757.tif 000011
【図１０】
2015176757.tif 000012
【図１１】
2015176757.tif 000013
【図１２】
2015176757.tif 000014
【図１３】
2015176757.tif 000015
【図１４】
2015176757.tif 000016